(57)【要約】      （修正有） 【課題】幅広の先方固定部１１と細幅板状の基方固定部１２とが、１５〜２０度の角度をもって傾斜し、先方固定部１１及び基方固定部１２に鋲装着用透孔・長孔１３，１５，１６を設けたプレート本体１を使用して橈骨の遠位端近傍（手首）の骨折治療を行う際、前記骨折部位補強プレートの施術の迅速且つ正確に実施できるようにする。【解決手段】適宜な脚長を有し且つネジ部を設けた脚部を備えた補助部材２を備えると共に、前記基方固定部１２に設けた鋲装着用透孔・長孔１５，１６を前記補助部材のネジ部と螺合着脱自在に形成してなる。【選択図】図３
0003141392.tif 000002
【実用新案登録請求の範囲】
【請求項１】
幅広の先方固定部と細幅板状の基方固定部とが、１５〜２０度の角度をもって傾斜し、先方固定部及び基方固定部に、鋲装着用の透孔を形成したプレート本体と、適宜な脚長を有し且つネジ部を設けた脚部を備えた補助部材とで構成され、基方固定部に設けた鋲装着用透孔と前記補助部材に設けたネジ部を螺合着脱自在に形成してなることを特徴とする  骨折部位補強プレート。
【請求項２】
基方固定部には、少なくとも鋲位置を選択できる長孔を設けると共に、当該長孔における一定の位置に、補助部材のネジ部が螺合着脱自在となるように形成してなる請求項１記載の骨折部位補強プレート。
【請求項３】
補助部材が、回転操作する頭部と、ネジ部を設けた脚部を備えてなる請求項１又は２記載の骨折部位補強プレート。
【請求項４】
補助部材の脚部が、上方のネジ部と、透孔に挿通することができる下方の細棒部からなると共に、細棒部長さの異なる複数の部材を備えてなる請求項３記載の骨折部位補強プレート。
【考案の詳細な説明】
【技術分野】
【０００１】
本考案は、主として橈骨の遠位端近傍（手首）の骨折治療に、骨折部位補強プレート本体を使用する施術時に使用する補助部材を備えた器具に関するものである。
【背景技術】
【０００２】
橈骨の遠位端近傍（手首）の骨折の治療に際して、骨折部位補強プレートが使用されている。この骨折部位補強プレートは、種々の形態の物が使用されているが、橈骨の骨折部位の掌側に固定されるプレート本体は、幅広の先方固定部と細幅板状の基方固定部とが、１５〜２０度の角度をもって傾斜し、先方固定部及び基方固定部に鋲装着用の透孔を複数設けると共に、基方固定部には、少なくとも鋲位置及び鋲打ち角度を選択できるように長孔を設けているものである。
【０００３】
更に詳細に説明すると、特許文献１（特開２００４−２２３０４２号公報）に開示されているとおり、先方固定部が幅広の逆三角形で、基方固定部が細幅の板状に形成され、特に先方固定部には、主として骨移植を必要とする場合を想定して外形に対応した三角透窓を備えている。また先方固定部と基方固定部とがＴ状に形成されているプレートや、先方固定部が逆三角形で、鋲孔を横二列に設けたものなどが知られている。
【０００４】
前記の骨折部位補強プレート本体を骨折治療に使用する場合には、骨折箇所を切開した後、橈骨の遠位端に先方固定部を所定のスクリューで固定し、その後基方固定部を橈骨に固定するもので、先方固定部の鋲止め施術時には、補強プレート本体を安定させるために、補助部材を使用していた。
【０００５】
補助部材としては、特許文献２（実用新案登録３１３０９２３号公報）の図５に示したとおり、頂部に螺孔を形成した支持脚と、前記支持脚に装着する固定ネジで構成され、所望の高さを備えた支持脚を選択して基方固定部の鋲孔の下方に位置させ、鋲孔を通して固定ネジを螺合し、補強プレート本体の安定を図っているものである。
【０００６】
然し前記の補助部材の装着は、煩瑣なものであり、また先方固定部の固定後は直ちに外し、基方固定部を橈骨に鋲結固定する必要があるので、より補助部材の着脱には操作性の簡易化が要求される。
【０００７】
この対策として本件出願人は、特許文献２の図３に示すように、基方固定部の長孔に挿通可能で且つ長孔の細幅部分より幅広で、適宜高さに形成した支持脚部と、支持脚部の上方に連続して長孔内で回転できる大きさで、基方固定部の厚さに対応した軸部と、軸部の上方に指による操作を可能とした大きさの操作部とを備えている部材を提案した。
【０００８】
【特許文献１】特開２００４−２２３０４２号公報。
【特許文献２】実用新案登録３１３０９２３号公報。
【考案の開示】
【考案が解決しようとする課題】
【０００９】
前記したとおり骨折部位補強プレート本体を用いて施術（治療）を行なう際に、プレート本体を安定させる補助部材を採用するものであるが、前記した補助部材は、脚長（プレート本体の基方固定部の持ち上げ高さ）の異なる数種類の部材を用意しておき、当該患者の状態に応じて先方固定部の固定角度が得られる脚長を備えた補助部材を使用するものである。
【００１０】
しかし脚長の異なる部材を多数用意すると、最適部材を選択使用することができるが、選択する際の煩瑣や、選択誤りの差し替えが生じ易い。逆に脚長の異なる部材の種類を少なくすると、その選択が容易であるが、必ずしも最適なプレート角度を得られるものではない。
【００１１】
そこで本考案は、単一の補助部材で、施術時のプレート本体の最適角度を容易に得られる骨折部位補強プレート（プレート本体及び補助部材）を提案したものである。
【課題を解決するための手段】
【００１２】
本考案に係る骨折部位補強プレートは、幅広の先方固定部と細幅板状の基方固定部とが、１５〜２０度の角度をもって傾斜し、先方固定部及び基方固定部に、鋲装着用の透孔を形成したプレート本体と、適宜な脚長を有し且つネジ部を設けた脚部を備えた補助部材とで構成され、基方固定部に設けた鋲装着用透孔と前記補助部材に設けたネジ部を螺合着脱自在に形成してなることを特徴とするものである。
【００１３】
しかして補助部材を基方固定部の透孔に螺合装着し、螺合調整によって脚部の突出長さを設定し、脚部下端を人体側に当接させて、基方固定部の鋲止めを行なうものである。
【００１４】
また本考案（請求項２）は、プレート本体前記の基方固定部には、少なくとも鋲位置を選択できる長孔を設けると共に、当該長孔における一定の位置に、補助部材のネジ部が螺合着脱自在となるように形成してなるもので、鋲位置及び鋲打ち角度を選択できるようにするために設ける長孔においても、補助部材の装着が可能となる。
【００１５】
更に本考案（請求項３，４）は、補助部材を、回転操作する頭部と、ネジ部を設けた脚部を備え、また前記の補助部材の脚部が、上方のネジ部と、透孔に挿通することができる下方の細棒部からなると共に、細棒部長さの異なる複数の部材を備えてなるもので、頭部を手での操作や、レンチの使用によって螺合調整が容易になり、また細棒部の長さが相違する部材の選択使用によって、大まかな選択が速やかに行われると共に、微細な高さ調整を螺合操作によって為される。
【考案の効果】
【００１６】
本考案は上記の構成を採用してなるものであるから、所定の角度で傾斜している橈骨の遠位端近傍（手首）の骨折の治療に際して使用する骨折部位補強のためのプレート本体の固定手術におけるプレート本体の傾斜安定が、迅速に且つ正確に行なわれるものである。
【考案を実施するための最良の形態】
【００１７】
次に本考案の実施の形態について説明する。本考案の骨折部位補強プレートは、橈骨Ａの遠位端近傍（手首）の骨折の治療に際して、橈骨Ａに固定されるプレート本体１と、プレート本体１を橈骨に固定する際に使用される補助部材２で構成される。
【００１８】
プレート本体１は、図１に例示するとおり、金属板製で、先側が幅広の逆三角形の先方固定部１１で、基方が細幅の板状の基方固定部１２が形成されていると共に、先方固定部１１は、先端縁に鋲Ｂの装着用透孔（鋲孔）１３を複数設けてなり、さらに外形に対応した三角透窓１４が形成されている。
【００１９】
また基方固定部１２には、少なくとも基端に鋲Ｂを装着するための透孔（鋲孔）１５と鋲位置及び鋲打ち角度を選択できる長孔１６を設けたもので、特に基方固定部１２は、図１（イ）に例示するとおり骨切部位に応じて定まる数種類のプレート本体１が用意され、基方固定部１２の長さに対応して透孔（鋲孔）１５の数が定められている。更に先方固定部１１と基方固定部１２とは橈骨の遠位端の傾斜に対応して屈曲傾斜している。
【００２０】
またプレート本体１は、図１（ロ）に示すように、先方固定部１１と基方固定部１２とがＴ状に形成されているものでも良く、その形状は、従前品と同様である。
【００２１】
本考案のプレート本体１は、基方固定部１２に設けられた透孔１５及び長孔１６が、後述する補助部材２のネジ部２５と螺合する構造に形成されているもので、透孔１５の内周面に螺合条を形成したり、透孔の縁面が螺合縁となるように形成したものである。更に長孔１６においては、挿通装着した補助部材２がずれないように、長孔１６の形状を、ネジ部２５が一定の位置に留まる形状とし、その位置において螺合するように螺条等を設けてなるものである。
【００２２】
補助部材２は、図２に例示するとおり、樹脂や金属で形成したもので、一般的なビス形状に類似したもので、頭部２１と、脚部２２を備え、頭部２１は、外周面２３を滑り止め形状として手操作（回動操作）が容易になるようにし、また頭部頂面にレンチ取付穴２４を設けアレンレンチによる回動操作を行えるようにしたものである。
【００２３】
脚部２２は、上方のネジ部２５と下方の細棒部２６で構成され、ネジ部２５は前記の透孔１５及び長孔１６と螺合するようにしたもので、細棒部２６は、透孔１５及び長孔１６を容易に挿通できるようにしたものである。
【００２４】
尚細棒部２６の長さの異なる複数の補助部材２を用意しておき、選択使用することもできるし、また図２（ロ）に示すように、脚部２２全体をネジ部２５とする部材２ａを採用しても良い。
【００２５】
而して本考案のプレート本体１及び補助部材２は、基本的には従前の器具と同様に使用されるもので、橈骨Ａの遠位端近傍（手首）の骨折の治療に際して、橈骨Ａの骨折部位に対応して基方固定部１２が必要長さを備えたプレート本体１を使用し、骨折部位を切開し、橈骨Ａを露出させ、プレート本体１の基方固定部１２の長さ及び、先方固定部１１の取り付け箇所の橈骨Ａの傾斜に対応した長さの細棒部２６を備えた補助部材２を予め選択し（手術前にレントゲン写真でプレート本体１の取り付け位置を確認して選択する）、透孔１５または長孔１６に細棒部２６を挿通し、ネジ部２５を螺合して、補助部材２をプレート本体１に装着しておく。勿論図４に示すように螺合可能な他の透孔１５に補助部材２を装着しても良い。
【００２６】
そして先方固定部１１を固着箇所にあわせるように、補助部材２の先端を人体側に当接させ、回転してプレート本体１の安定を図かり（図３・イ）、当該状態で先方固定部１１の鋲孔１３を通して所定の鋲Ｂで、先方固定部１１を手橈骨Ａに固定する。
【００２７】
先方固定部１１の固定後は、補助部材２をプレート本体１から外し、基方固定部１２を橈骨Ａに鋲結固定し、切開箇所を縫合して手術を終了するものである。
【００２８】
従って、プレート本体１の先方固定部１１の固定施術に際して、直ぐにプレート本体１の適切な角度の傾斜安定を得ることができ、橈骨Ａの骨切治療手術がより正確に且つ迅速に行うことができたものである。
【図面の簡単な説明】
【００２９】
【図１】本考案の実施形態のプレート本体の説明図（全体斜視図でロは別例を示す）。
【図２】同補助部材の説明図（全体斜視図でロは別例を示す）。
【図３】同使用状態の説明図で（イ）はプレートの安定操作時、（ロ）は鋲固定時を示す。
【図４】同別例図。
【符号の説明】
【００３０】
１        プレート本体
１１      先方固定部
１２      基方固定部
１３      透孔（鋲孔）
１４      三角透窓
１５      透孔（鋲孔）
１６      長孔
２        補助部材
２１      頭部
２２      脚部
２３      外周部
２４      レンチ取付穴
２５      ネジ部
２６      細棒部
【図１】
0003141392.tif 000003
【図２】
0003141392.tif 000004
【図３】
0003141392.tif 000005
【図４】
0003141392.tif 000006